(57)【要約】【課題】複数のＤ／Ａ変換経路間に発生する誤差を低減する。【解決手段】（１）任意信号発生器２が、第一（第二）入力デジタルパターンを第一（第二）出力アナログパターンに変換するものであり、（２）デジタイザ４が、第一入力アナログパターンを第一出力デジタルパターンに変換するものであり、（３）特性取得装置１が、第一入力デジタルパターンを、入力アナログパターンが第一出力アナログパターンであるときの出力デジタルパターンに変換する第一伝達特性を導出する第一伝達特性導出部１２と、第二入力デジタルパターンを、入力アナログパターンが第二出力アナログパターンであるときの出力デジタルパターンに変換する第二伝達特性を導出する第二伝達特性導出部１４と、第一伝達特性と第二伝達特性との比である伝達特性比を導出する伝達特性比導出部１６とを備える。【選択図】図３
2007288463.tif 000002
【特許請求の範囲】
【請求項１】
アナログパターン生成装置とデジタルパターン取得装置とからパターンを受け、前記アナログパターン生成装置の特性を取得する特性取得装置であって、
（１）前記アナログパターン生成装置が、
第一入力デジタルパターンを第一出力アナログパターンに変換し、第二入力デジタルパターンを第二出力アナログパターンに変換するものであり、
（２）前記デジタルパターン取得装置が、
入力アナログパターンを出力デジタルパターンに変換するものであり、
（３）前記特性取得装置が、
前記第一入力デジタルパターンを、前記入力アナログパターンが前記第一出力アナログパターンであるときの前記出力デジタルパターンに変換する第一伝達特性を導出する第一伝達特性導出手段と、
前記第二入力デジタルパターンを、前記入力アナログパターンが前記第二出力アナログパターンであるときの前記出力デジタルパターンに変換する第二伝達特性を導出する第二伝達特性導出手段と、
前記第一伝達特性と前記第二伝達特性との比である伝達特性比を導出する伝達特性比導出手段と、
を備えた特性取得装置。
【請求項２】
請求項１に記載の特性取得装置であって、
前記第一入力デジタルパターンを前記第一出力アナログパターンに変換する第一生成側伝達特性に、前記伝達特性比を乗じて、前記第二入力デジタルパターンを前記第二出力アナログパターンに変換する第二生成側伝達特性を導出する伝達特性導出手段、
を備えた特性取得装置。
【請求項３】
アナログパターン生成装置とデジタルパターン取得装置とからパターンを受け、前記デジタルパターン取得装置の特性を取得する特性取得装置であって、
（１）前記アナログパターン生成装置が、
入力デジタルパターンを出力アナログパターンに変換するものであり、
（２）前記デジタルパターン取得装置が、
第一入力アナログパターンを第一出力デジタルパターンに変換し、第二入力アナログパターンを第二出力デジタルパターンに変換するものであり、
（３）前記特性取得装置が、
前記入力デジタルパターンを、前記第一入力アナログパターンが前記出力アナログパターンであるときの前記第一出力デジタルパターンに変換する第一伝達特性を導出する第一伝達特性導出手段と、
前記入力デジタルパターンを、前記第二入力アナログパターンが前記出力アナログパターンであるときの前記第二出力デジタルパターンに変換する第二伝達特性を導出する第二伝達特性導出手段と、
前記第一伝達特性と前記第二伝達特性との比である伝達特性比を導出する伝達特性比導出手段と、
を備えた特性取得装置。
【請求項４】
請求項３に記載の特性取得装置であって、
前記第一入力アナログパターンを前記第一出力デジタルパターンに変換する第一取得側伝達特性に、前記伝達特性比を乗じて、前記第二入力アナログパターンを前記第二出力デジタルパターンに変換する第二取得側伝達特性を導出する伝達特性導出手段、
を備えた特性取得装置。
【請求項５】
アナログパターン生成装置とデジタルパターン取得装置とからパターンを受け、前記アナログパターン生成装置から前記デジタルパターン取得装置への伝送経路における遅延特性を取得する特性取得装置であって、
（１）前記アナログパターン生成装置が、
第一入力デジタルパターンを第一出力アナログパターンに変換し、第二入力デジタルパターンを第二出力アナログパターンに変換するものであり、
（２）前記デジタルパターン取得装置が、
第一入力アナログパターンを第一出力デジタルパターンに変換し、第二入力アナログパターンを第二出力デジタルパターンに変換するものであり、
（３）前記特性取得装置が、
前記第一入力デジタルパターンを、前記第一入力アナログパターンが前記第一出力アナログパターンであるときの前記第一出力デジタルパターンに変換する第一ストレート伝達特性を導出する第一ストレート伝達特性導出手段と、
前記第一入力デジタルパターンを、前記第二入力アナログパターンが前記第一出力アナログパターンであるときの前記第二出力デジタルパターンに変換する第一クロス伝達特性を導出する第一クロス伝達特性導出手段と、
前記第二入力デジタルパターンを、前記第二入力アナログパターンが前記第二出力アナログパターンであるときの前記第二出力デジタルパターンに変換する第二ストレート伝達特性を導出する第二ストレート伝達特性導出手段と、
前記第二入力デジタルパターンを、前記第一入力アナログパターンが前記第二出力アナログパターンであるときの前記第一出力デジタルパターンに変換する第二クロス伝達特性を導出する第二クロス伝達特性導出手段と、
前記第一ストレート伝達特性、前記第一クロス伝達特性、前記第二ストレート伝達特性および前記第二クロス伝達特性に基づき、前記遅延特性を導出する遅延特性導出手段と、
を備えた特性取得装置。
【請求項６】
請求項５に記載の特性取得装置であって、
前記第二クロス伝達特性を、前記第一ストレート伝達特性と前記遅延特性との積で割った生成側伝達特性比を導出する生成側伝達特性比導出手段、
を備えた特性取得装置。
【請求項７】
請求項６に記載の特性取得装置であって、
前記第一入力デジタルパターンを前記第一出力アナログパターンに変換する第一生成側伝達特性に、前記生成側伝達特性比を乗じて、前記第二入力デジタルパターンを前記第二出力アナログパターンに変換する第二生成側伝達特性を導出する生成側伝達特性導出手段、
を備えた特性取得装置。
【請求項８】
請求項５に記載の特性取得装置であって、
前記第一クロス伝達特性を、前記第一ストレート伝達特性と前記遅延特性との積で割った取得側伝達特性比を導出する取得側伝達特性比導出手段、
を備えた特性取得装置。
【請求項９】
請求項８に記載の特性取得装置であって、
前記第一入力アナログパターンを前記第一出力デジタルパターンに変換する第一取得側伝達特性に、前記取得側伝達特性比を乗じて、前記第二入力アナログパターンを前記第二出力デジタルパターンに変換する第二取得側伝達特性を導出する取得側伝達特性導出手段、
を備えた特性取得装置。
【請求項１０】
アナログパターン生成装置とデジタルパターン取得装置とからパターンを受け、前記アナログパターン生成装置の特性を取得する特性取得方法であって、
（１）前記アナログパターン生成装置が、
第一入力デジタルパターンを第一出力アナログパターンに変換し、第二入力デジタルパターンを第二出力アナログパターンに変換するものであり、
（２）前記デジタルパターン取得装置が、
入力アナログパターンを出力デジタルパターンに変換するものであり、
（３）前記特性取得方法が、
前記第一入力デジタルパターンを、前記入力アナログパターンが前記第一出力アナログパターンであるときの前記出力デジタルパターンに変換する第一伝達特性を導出する第一伝達特性導出工程と、
前記第二入力デジタルパターンを、前記入力アナログパターンが前記第二出力アナログパターンであるときの前記出力デジタルパターンに変換する第二伝達特性を導出する第二伝達特性導出工程と、
前記第一伝達特性と前記第二伝達特性との比である伝達特性比を導出する伝達特性比導出工程と、
を備えた特性取得方法。
【請求項１１】
アナログパターン生成装置とデジタルパターン取得装置とからパターンを受け、前記デジタルパターン取得装置の特性を取得する特性取得方法であって、
（１）前記アナログパターン生成装置が、
入力デジタルパターンを出力アナログパターンに変換するものであり、
（２）前記デジタルパターン取得装置が、
第一入力アナログパターンを第一出力デジタルパターンに変換し、第二入力アナログパターンを第二出力デジタルパターンに変換するものであり、
（３）前記特性取得方法が、
前記入力デジタルパターンを、前記第一入力アナログパターンが前記出力アナログパターンであるときの前記第一出力デジタルパターンに変換する第一伝達特性を導出する第一伝達特性導出工程と、
前記入力デジタルパターンを、前記第二入力アナログパターンが前記出力アナログパターンであるときの前記第二出力デジタルパターンに変換する第二伝達特性を導出する第二伝達特性導出工程と、
前記第一伝達特性と前記第二伝達特性との比である伝達特性比を導出する伝達特性比導出工程と、
を備えた特性取得方法。
【請求項１２】
アナログパターン生成装置とデジタルパターン取得装置とからパターンを受け、前記アナログパターン生成装置から前記デジタルパターン取得装置への伝送経路における遅延特性を取得する特性取得方法であって、
（１）前記アナログパターン生成装置が、
第一入力デジタルパターンを第一出力アナログパターンに変換し、第二入力デジタルパターンを第二出力アナログパターンに変換するものであり、
（２）前記デジタルパターン取得装置が、
第一入力アナログパターンを第一出力デジタルパターンに変換し、第二入力アナログパターンを第二出力デジタルパターンに変換するものであり、
（３）前記特性取得方法が、
前記第一入力デジタルパターンを、前記第一入力アナログパターンが前記第一出力アナログパターンであるときの前記第一出力デジタルパターンに変換する第一ストレート伝達特性を導出する第一ストレート伝達特性導出工程と、
前記第一入力デジタルパターンを、前記第二入力アナログパターンが前記第一出力アナログパターンであるときの前記第二出力デジタルパターンに変換する第一クロス伝達特性を導出する第一クロス伝達特性導出工程と、
前記第二入力デジタルパターンを、前記第二入力アナログパターンが前記第二出力アナログパターンであるときの前記第二出力デジタルパターンに変換する第二ストレート伝達特性を導出する第二ストレート伝達特性導出工程と、
前記第二入力デジタルパターンを、前記第一入力アナログパターンが前記第二出力アナログパターンであるときの前記第一出力デジタルパターンに変換する第二クロス伝達特性を導出する第二クロス伝達特性導出工程と、
前記第一ストレート伝達特性、前記第一クロス伝達特性、前記第二ストレート伝達特性および前記第二クロス伝達特性に基づき、前記遅延特性を導出する遅延特性導出工程と、
を備えた特性取得方法。
【請求項１３】
アナログパターン生成装置とデジタルパターン取得装置とからパターンを受け、前記アナログパターン生成装置の特性を取得する特性取得処理をコンピュータに実行させるためのプログラムであって、
（１）前記アナログパターン生成装置が、
第一入力デジタルパターンを第一出力アナログパターンに変換し、第二入力デジタルパターンを第二出力アナログパターンに変換するものであり、
（２）前記デジタルパターン取得装置が、
入力アナログパターンを出力デジタルパターンに変換するものであり、
前記第一入力デジタルパターンを、前記入力アナログパターンが前記第一出力アナログパターンであるときの前記出力デジタルパターンに変換する第一伝達特性を導出する第一伝達特性導出処理と、
前記第二入力デジタルパターンを、前記入力アナログパターンが前記第二出力アナログパターンであるときの前記出力デジタルパターンに変換する第二伝達特性を導出する第二伝達特性導出処理と、
前記第一伝達特性と前記第二伝達特性との比である伝達特性比を導出する伝達特性比導出処理と、
をコンピュータに実行させるためのプログラム。
【請求項１４】
アナログパターン生成装置とデジタルパターン取得装置とからパターンを受け、前記デジタルパターン取得装置の特性を取得する特性取得処理をコンピュータに実行させるためのプログラムであって、
（１）前記アナログパターン生成装置が、
入力デジタルパターンを出力アナログパターンに変換するものであり、
（２）前記デジタルパターン取得装置が、
第一入力アナログパターンを第一出力デジタルパターンに変換し、第二入力アナログパターンを第二出力デジタルパターンに変換するものであり、
前記入力デジタルパターンを、前記第一入力アナログパターンが前記出力アナログパターンであるときの前記第一出力デジタルパターンに変換する第一伝達特性を導出する第一伝達特性導出処理と、
前記入力デジタルパターンを、前記第二入力アナログパターンが前記出力アナログパターンであるときの前記第二出力デジタルパターンに変換する第二伝達特性を導出する第二伝達特性導出処理と、
前記第一伝達特性と前記第二伝達特性との比である伝達特性比を導出する伝達特性比導出処理と、
をコンピュータに実行させるためのプログラム。
【請求項１５】
アナログパターン生成装置とデジタルパターン取得装置とからパターンを受け、前記アナログパターン生成装置から前記デジタルパターン取得装置への伝送経路における遅延特性を取得する特性取得処理をコンピュータに実行させるためのプログラムであって、
（１）前記アナログパターン生成装置が、
第一入力デジタルパターンを第一出力アナログパターンに変換し、第二入力デジタルパターンを第二出力アナログパターンに変換するものであり、
（２）前記デジタルパターン取得装置が、
第一入力アナログパターンを第一出力デジタルパターンに変換し、第二入力アナログパターンを第二出力デジタルパターンに変換するものであり、
前記第一入力デジタルパターンを、前記第一入力アナログパターンが前記第一出力アナログパターンであるときの前記第一出力デジタルパターンに変換する第一ストレート伝達特性を導出する第一ストレート伝達特性導出処理と、
前記第一入力デジタルパターンを、前記第二入力アナログパターンが前記第一出力アナログパターンであるときの前記第二出力デジタルパターンに変換する第一クロス伝達特性を導出する第一クロス伝達特性導出処理と、
前記第二入力デジタルパターンを、前記第二入力アナログパターンが前記第二出力アナログパターンであるときの前記第二出力デジタルパターンに変換する第二ストレート伝達特性を導出する第二ストレート伝達特性導出処理と、
前記第二入力デジタルパターンを、前記第一入力アナログパターンが前記第二出力アナログパターンであるときの前記第一出力デジタルパターンに変換する第二クロス伝達特性を導出する第二クロス伝達特性導出処理と、
前記第一ストレート伝達特性、前記第一クロス伝達特性、前記第二ストレート伝達特性および前記第二クロス伝達特性に基づき、前記遅延特性を導出する遅延特性導出処理と、
をコンピュータに実行させるためのプログラム。
【発明の詳細な説明】
【技術分野】
【０００１】
本発明は、信号生成器の生成する二信号間のバランスおよび処理するデジタイザが受ける二信号間のバランスの補正に関する。
【背景技術】
【０００２】
従来より、デジタイザにおいて用いられる複数のＡ／Ｄコンバータ間にはサンプリングの際に振幅誤差、位相誤差が発生することが知られている（例えば、特許文献１の要約の課題を参照）。
【０００３】
なお、このようなことは、AWG(任意信号発生器：Arbitrary
Waveform Generator)などの信号生成器において用いられる複数のＤ／Ａコンバータ間においても同様に振幅誤差、位相誤差が発生することが知られている。
【０００４】
【特許文献１】特開２００２−２４６９１０号公報
【発明の開示】
【発明が解決しようとする課題】
【０００５】
そこで、本発明は、複数のＡ／Ｄ変換経路間または複数のＤ／Ａ変換経路間に発生する誤差を低減することを課題とする。
【課題を解決するための手段】
【０００６】
本発明にかかる第一の特性取得装置は、アナログパターン生成装置とデジタルパターン取得装置とからパターンを受け、前記アナログパターン生成装置の特性を取得する特性取得装置であって、（１）前記アナログパターン生成装置が、第一入力デジタルパターンを第一出力アナログパターンに変換し、第二入力デジタルパターンを第二出力アナログパターンに変換するものであり、（２）前記デジタルパターン取得装置が、入力アナログパターンを出力デジタルパターンに変換するものであり、（３）前記特性取得装置が、前記第一入力デジタルパターンを、前記入力アナログパターンが前記第一出力アナログパターンであるときの前記出力デジタルパターンに変換する第一伝達特性を導出する第一伝達特性導出手段と、前記第二入力デジタルパターンを、前記入力アナログパターンが前記第二出力アナログパターンであるときの前記出力デジタルパターンに変換する第二伝達特性を導出する第二伝達特性導出手段と、前記第一伝達特性と前記第二伝達特性との比である伝達特性比を導出する伝達特性比導出手段とを備えるように構成される。
【０００７】
上記のように構成された第一の特性取得装置によれば、アナログパターン生成装置とデジタルパターン取得装置とからパターンを受け、前記アナログパターン生成装置の特性を取得する特性取得装置が提供される。
【０００８】
なお、（１）前記アナログパターン生成装置が、第一入力デジタルパターンを第一出力アナログパターンに変換し、第二入力デジタルパターンを第二出力アナログパターンに変換するものである。
【０００９】
また、（２）前記デジタルパターン取得装置が、入力アナログパターンを出力デジタルパターンに変換するものである。
【００１０】
さらに、（３）前記特性取得装置が、第一伝達特性導出手段と、第二伝達特性導出手段と、伝達特性比導出手段とを備える。
【００１１】
第一伝達特性導出手段は、前記第一入力デジタルパターンを、前記入力アナログパターンが前記第一出力アナログパターンであるときの前記出力デジタルパターンに変換する第一伝達特性を導出する。第二伝達特性導出手段は、前記第二入力デジタルパターンを、前記入力アナログパターンが前記第二出力アナログパターンであるときの前記出力デジタルパターンに変換する第二伝達特性を導出する。伝達特性比導出手段は、前記第一伝達特性と前記第二伝達特性との比である伝達特性比を導出する。
【００１２】
また、本発明にかかる第一の特性取得装置は、前記第一入力デジタルパターンを前記第一出力アナログパターンに変換する第一生成側伝達特性に、前記伝達特性比を乗じて、前記第二入力デジタルパターンを前記第二出力アナログパターンに変換する第二生成側伝達特性を導出する伝達特性導出手段を備えてもよい。
【００１３】
本発明にかかる第二の特性取得装置は、アナログパターン生成装置とデジタルパターン取得装置とからパターンを受け、前記デジタルパターン取得装置の特性を取得する特性取得装置であって、（１）前記アナログパターン生成装置が、入力デジタルパターンを出力アナログパターンに変換するものであり、（２）前記デジタルパターン取得装置が、第一入力アナログパターンを第一出力デジタルパターンに変換し、第二入力アナログパターンを第二出力デジタルパターンに変換するものであり、（３）前記特性取得装置が、前記入力デジタルパターンを、前記第一入力アナログパターンが前記出力アナログパターンであるときの前記第一出力デジタルパターンに変換する第一伝達特性を導出する第一伝達特性導出手段と、前記入力デジタルパターンを、前記第二入力アナログパターンが前記出力アナログパターンであるときの前記第二出力デジタルパターンに変換する第二伝達特性を導出する第二伝達特性導出手段と、前記第一伝達特性と前記第二伝達特性との比である伝達特性比を導出する伝達特性比導出手段とを備えるように構成される。
【００１４】
上記のように構成された第二の特性取得装置によれば、アナログパターン生成装置とデジタルパターン取得装置とからパターンを受け、前記デジタルパターン取得装置の特性を取得する特性取得装置が提供される。
【００１５】
なお、（１）前記アナログパターン生成装置が、入力デジタルパターンを出力アナログパターンに変換するものである。
【００１６】
また、（２）前記デジタルパターン取得装置が、第一入力アナログパターンを第一出力デジタルパターンに変換し、第二入力アナログパターンを第二出力デジタルパターンに変換するものである。
【００１７】
さらに、（３）前記特性取得装置が、第一伝達特性導出手段と、第二伝達特性導出手段と、伝達特性比導出手段とを備える。
【００１８】
第一伝達特性導出手段は、前記入力デジタルパターンを、前記第一入力アナログパターンが前記出力アナログパターンであるときの前記第一出力デジタルパターンに変換する第一伝達特性を導出する。第二伝達特性導出手段は、前記入力デジタルパターンを、前記第二入力アナログパターンが前記出力アナログパターンであるときの前記第二出力デジタルパターンに変換する第二伝達特性を導出する。伝達特性比導出手段は、前記第一伝達特性と前記第二伝達特性との比である伝達特性比を導出する。
【００１９】
また、本発明にかかる第二の特性取得装置は、前記第一入力アナログパターンを前記第一出力デジタルパターンに変換する第一取得側伝達特性に、前記伝達特性比を乗じて、前記第二入力アナログパターンを前記第二出力デジタルパターンに変換する第二取得側伝達特性を導出する伝達特性導出手段を備えてもよい。
【００２０】
本発明にかかる第三の特性取得装置は、アナログパターン生成装置とデジタルパターン取得装置とからパターンを受け、前記アナログパターン生成装置から前記デジタルパターン取得装置への伝送経路における遅延特性を取得する特性取得装置であって、（１）前記アナログパターン生成装置が、第一入力デジタルパターンを第一出力アナログパターンに変換し、第二入力デジタルパターンを第二出力アナログパターンに変換するものであり、（２）前記デジタルパターン取得装置が、第一入力アナログパターンを第一出力デジタルパターンに変換し、第二入力アナログパターンを第二出力デジタルパターンに変換するものであり、（３）前記特性取得装置が、前記第一入力デジタルパターンを、前記第一入力アナログパターンが前記第一出力アナログパターンであるときの前記第一出力デジタルパターンに変換する第一ストレート伝達特性を導出する第一ストレート伝達特性導出手段と、前記第一入力デジタルパターンを、前記第二入力アナログパターンが前記第一出力アナログパターンであるときの前記第二出力デジタルパターンに変換する第一クロス伝達特性を導出する第一クロス伝達特性導出手段と、前記第二入力デジタルパターンを、前記第二入力アナログパターンが前記第二出力アナログパターンであるときの前記第二出力デジタルパターンに変換する第二ストレート伝達特性を導出する第二ストレート伝達特性導出手段と、前記第二入力デジタルパターンを、前記第一入力アナログパターンが前記第二出力アナログパターンであるときの前記第一出力デジタルパターンに変換する第二クロス伝達特性を導出する第二クロス伝達特性導出手段と、前記第一ストレート伝達特性、前記第一クロス伝達特性、前記第二ストレート伝達特性および前記第二クロス伝達特性に基づき、前記遅延特性を導出する遅延特性導出手段とを備えるように構成される。
【００２１】
上記のように構成された第三の特性取得装置によれば、アナログパターン生成装置とデジタルパターン取得装置とからパターンを受け、前記アナログパターン生成装置から前記デジタルパターン取得装置への伝送経路における遅延特性を取得する特性取得装置が提供される。
【００２２】
なお、（１）前記アナログパターン生成装置が、第一入力デジタルパターンを第一出力アナログパターンに変換し、第二入力デジタルパターンを第二出力アナログパターンに変換するものである。
【００２３】
また、（２）前記デジタルパターン取得装置が、第一入力アナログパターンを第一出力デジタルパターンに変換し、第二入力アナログパターンを第二出力デジタルパターンに変換するものである。
【００２４】
さらに、（３）前記特性取得装置が、第一ストレート伝達特性導出手段と、第一クロス伝達特性導出手段と、第二ストレート伝達特性導出手段と、第二クロス伝達特性導出手段と、遅延特性導出手段とを備える。
第一ストレート伝達特性導出手段は、前記第一入力デジタルパターンを、前記第一入力アナログパターンが前記第一出力アナログパターンであるときの前記第一出力デジタルパターンに変換する第一ストレート伝達特性を導出する。
【００２５】
第一クロス伝達特性導出手段は、前記第一入力デジタルパターンを、前記第二入力アナログパターンが前記第一出力アナログパターンであるときの前記第二出力デジタルパターンに変換する第一クロス伝達特性を導出する。
【００２６】
第二ストレート伝達特性導出手段は、前記第二入力デジタルパターンを、前記第二入力アナログパターンが前記第二出力アナログパターンであるときの前記第二出力デジタルパターンに変換する第二ストレート伝達特性を導出する。
【００２７】
第二クロス伝達特性導出手段は、前記第二入力デジタルパターンを、前記第一入力アナログパターンが前記第二出力アナログパターンであるときの前記第一出力デジタルパターンに変換する第二クロス伝達特性を導出する。
【００２８】
遅延特性導出手段は、前記第一ストレート伝達特性、前記第一クロス伝達特性、前記第二ストレート伝達特性および前記第二クロス伝達特性に基づき、前記遅延特性を導出する。
【００２９】
また、本発明にかかる第三の特性取得装置は、前記第二クロス伝達特性を、前記第一ストレート伝達特性と前記遅延特性との積で割った生成側伝達特性比を導出する生成側伝達特性比導出手段を備えてもよい。
【００３０】
また、本発明にかかる第三の特性取得装置は、前記第一入力デジタルパターンを前記第一出力アナログパターンに変換する第一生成側伝達特性に、前記生成側伝達特性比を乗じて、前記第二入力デジタルパターンを前記第二出力アナログパターンに変換する第二生成側伝達特性を導出する生成側伝達特性導出手段を備えてもよい。
【００３１】
また、本発明にかかる第三の特性取得装置は、前記第一クロス伝達特性を、前記第一ストレート伝達特性と前記遅延特性との積で割った取得側伝達特性比を導出する取得側伝達特性比導出手段を備えてもよい。
【００３２】
また、本発明にかかる第三の特性取得装置は、前記第一入力アナログパターンを前記第一出力デジタルパターンに変換する第一取得側伝達特性に、前記取得側伝達特性比を乗じて、前記第二入力アナログパターンを前記第二出力デジタルパターンに変換する第二取得側伝達特性を導出する取得側伝達特性導出手段を備えてもよい。
【００３３】
本発明は、アナログパターン生成装置とデジタルパターン取得装置とからパターンを受け、前記アナログパターン生成装置の特性を取得する特性取得方法であって、（１）前記アナログパターン生成装置が、第一入力デジタルパターンを第一出力アナログパターンに変換し、第二入力デジタルパターンを第二出力アナログパターンに変換するものであり、（２）前記デジタルパターン取得装置が、入力アナログパターンを出力デジタルパターンに変換するものであり、（３）前記特性取得方法が、前記第一入力デジタルパターンを、前記入力アナログパターンが前記第一出力アナログパターンであるときの前記出力デジタルパターンに変換する第一伝達特性を導出する第一伝達特性導出工程と、前記第二入力デジタルパターンを、前記入力アナログパターンが前記第二出力アナログパターンであるときの前記出力デジタルパターンに変換する第二伝達特性を導出する第二伝達特性導出工程と、前記第一伝達特性と前記第二伝達特性との比である伝達特性比を導出する伝達特性比導出工程とを備えた特性取得方法である。
【００３４】
本発明は、アナログパターン生成装置とデジタルパターン取得装置とからパターンを受け、前記デジタルパターン取得装置の特性を取得する特性取得方法であって、（１）前記アナログパターン生成装置が、入力デジタルパターンを出力アナログパターンに変換するものであり、（２）前記デジタルパターン取得装置が、第一入力アナログパターンを第一出力デジタルパターンに変換し、第二入力アナログパターンを第二出力デジタルパターンに変換するものであり、（３）前記特性取得方法が、前記入力デジタルパターンを、前記第一入力アナログパターンが前記出力アナログパターンであるときの前記第一出力デジタルパターンに変換する第一伝達特性を導出する第一伝達特性導出工程と、前記入力デジタルパターンを、前記第二入力アナログパターンが前記出力アナログパターンであるときの前記第二出力デジタルパターンに変換する第二伝達特性を導出する第二伝達特性導出工程と、前記第一伝達特性と前記第二伝達特性との比である伝達特性比を導出する伝達特性比導出工程とを備えた特性取得方法である。
【００３５】
本発明は、アナログパターン生成装置とデジタルパターン取得装置とからパターンを受け、前記アナログパターン生成装置から前記デジタルパターン取得装置への伝送経路における遅延特性を取得する特性取得方法であって、（１）前記アナログパターン生成装置が、第一入力デジタルパターンを第一出力アナログパターンに変換し、第二入力デジタルパターンを第二出力アナログパターンに変換するものであり、（２）前記デジタルパターン取得装置が、第一入力アナログパターンを第一出力デジタルパターンに変換し、第二入力アナログパターンを第二出力デジタルパターンに変換するものであり、（３）前記特性取得方法が、前記第一入力デジタルパターンを、前記第一入力アナログパターンが前記第一出力アナログパターンであるときの前記第一出力デジタルパターンに変換する第一ストレート伝達特性を導出する第一ストレート伝達特性導出工程と、前記第一入力デジタルパターンを、前記第二入力アナログパターンが前記第一出力アナログパターンであるときの前記第二出力デジタルパターンに変換する第一クロス伝達特性を導出する第一クロス伝達特性導出工程と、前記第二入力デジタルパターンを、前記第二入力アナログパターンが前記第二出力アナログパターンであるときの前記第二出力デジタルパターンに変換する第二ストレート伝達特性を導出する第二ストレート伝達特性導出工程と、前記第二入力デジタルパターンを、前記第一入力アナログパターンが前記第二出力アナログパターンであるときの前記第一出力デジタルパターンに変換する第二クロス伝達特性を導出する第二クロス伝達特性導出工程と、前記第一ストレート伝達特性、前記第一クロス伝達特性、前記第二ストレート伝達特性および前記第二クロス伝達特性に基づき、前記遅延特性を導出する遅延特性導出工程とを備えた特性取得方法である。
【００３６】
本発明は、アナログパターン生成装置とデジタルパターン取得装置とからパターンを受け、前記アナログパターン生成装置の特性を取得する特性取得処理をコンピュータに実行させるためのプログラムであって、（１）前記アナログパターン生成装置が、第一入力デジタルパターンを第一出力アナログパターンに変換し、第二入力デジタルパターンを第二出力アナログパターンに変換するものであり、（２）前記デジタルパターン取得装置が、入力アナログパターンを出力デジタルパターンに変換するものであり、前記第一入力デジタルパターンを、前記入力アナログパターンが前記第一出力アナログパターンであるときの前記出力デジタルパターンに変換する第一伝達特性を導出する第一伝達特性導出処理と、前記第二入力デジタルパターンを、前記入力アナログパターンが前記第二出力アナログパターンであるときの前記出力デジタルパターンに変換する第二伝達特性を導出する第二伝達特性導出処理と、前記第一伝達特性と前記第二伝達特性との比である伝達特性比を導出する伝達特性比導出処理とをコンピュータに実行させるためのプログラムである。
【００３７】
本発明は、アナログパターン生成装置とデジタルパターン取得装置とからパターンを受け、前記デジタルパターン取得装置の特性を取得する特性取得処理をコンピュータに実行させるためのプログラムであって、（１）前記アナログパターン生成装置が、入力デジタルパターンを出力アナログパターンに変換するものであり、（２）前記デジタルパターン取得装置が、第一入力アナログパターンを第一出力デジタルパターンに変換し、第二入力アナログパターンを第二出力デジタルパターンに変換するものであり、前記入力デジタルパターンを、前記第一入力アナログパターンが前記出力アナログパターンであるときの前記第一出力デジタルパターンに変換する第一伝達特性を導出する第一伝達特性導出処理と、前記入力デジタルパターンを、前記第二入力アナログパターンが前記出力アナログパターンであるときの前記第二出力デジタルパターンに変換する第二伝達特性を導出する第二伝達特性導出処理と、前記第一伝達特性と前記第二伝達特性との比である伝達特性比を導出する伝達特性比導出処理とをコンピュータに実行させるためのプログラムである。
【００３８】
本発明は、アナログパターン生成装置とデジタルパターン取得装置とからパターンを受け、前記アナログパターン生成装置から前記デジタルパターン取得装置への伝送経路における遅延特性を取得する特性取得処理をコンピュータに実行させるためのプログラムであって、（１）前記アナログパターン生成装置が、第一入力デジタルパターンを第一出力アナログパターンに変換し、第二入力デジタルパターンを第二出力アナログパターンに変換するものであり、（２）前記デジタルパターン取得装置が、第一入力アナログパターンを第一出力デジタルパターンに変換し、第二入力アナログパターンを第二出力デジタルパターンに変換するものであり、前記第一入力デジタルパターンを、前記第一入力アナログパターンが前記第一出力アナログパターンであるときの前記第一出力デジタルパターンに変換する第一ストレート伝達特性を導出する第一ストレート伝達特性導出処理と、前記第一入力デジタルパターンを、前記第二入力アナログパターンが前記第一出力アナログパターンであるときの前記第二出力デジタルパターンに変換する第一クロス伝達特性を導出する第一クロス伝達特性導出処理と、前記第二入力デジタルパターンを、前記第二入力アナログパターンが前記第二出力アナログパターンであるときの前記第二出力デジタルパターンに変換する第二ストレート伝達特性を導出する第二ストレート伝達特性導出処理と、前記第二入力デジタルパターンを、前記第一入力アナログパターンが前記第二出力アナログパターンであるときの前記第一出力デジタルパターンに変換する第二クロス伝達特性を導出する第二クロス伝達特性導出処理と、前記第一ストレート伝達特性、前記第一クロス伝達特性、前記第二ストレート伝達特性および前記第二クロス伝達特性に基づき、前記遅延特性を導出する遅延特性導出処理とをコンピュータに実行させるためのプログラムである。
【発明を実施するための最良の形態】
【００３９】
以下、本発明の実施形態を図面を参照しながら説明する。
【００４０】
図１は、本発明の実施形態にかかる任意信号発生器（アナログパターン生成装置）２の構成を示すブロック図である。任意信号発生器(AWG : Arbitrary Waveform Generator)２は、第一入力デジタルパターン生成部２２Ｉ、第一Ｄ／Ａコンバータ２４Ｉ、第一出力アンプ２６Ｉ、第一出力フィルタ２８Ｉ、第一出力端子２９Ｉ、第二入力デジタルパターン生成部２２Ｑ、第二Ｄ／Ａコンバータ２４Ｑ、第二出力アンプ２６Ｑ、第二出力フィルタ２８Ｑ、第二出力端子２９Ｑを備える。
【００４１】
第一入力デジタルパターン生成部２２Ｉは、デジタルパターン（「第一入力デジタルパターン」という）を生成する。
【００４２】
第一Ｄ／Ａコンバータ２４Ｉは、第一入力デジタルパターンをアナログ信号に変換する。
【００４３】
第一出力アンプ２６Ｉは、第一Ｄ／Ａコンバータ２４Ｉの出力を増幅する。
【００４４】
第一出力フィルタ２８Ｉは、第一出力アンプ２６Ｉの出力をフィルタ処理（例えば、高周波成分をカットして、低周波成分を通過させる）する。
【００４５】
なお、第一出力アンプ２６Ｉおよび第一出力フィルタ２８Ｉは、第一Ｄ／Ａコンバータ２４Ｉの出力をアナログ処理するための回路の一例であり、他の周知のアナログ処理回路に置き換えてもよい。
【００４６】
第一出力端子２９Ｉは、第一出力フィルタ２８Ｉの出力（「第一出力アナログパターン」という）を出力する。
【００４７】
ここで、第一Ｄ／Ａコンバータ２４Ｉ、第一出力アンプ２６Ｉおよび第一出力フィルタ２８Ｉの周波数特性をＳパラメータで表し、HA-I(f)とする。ただし、fは周波数であり、(f)という記載は周波数領域で表現したことを意味している。HA-I(f)は予め測定されており、第一入力デジタルパターン生成部２２Ｉに記録されている。HA-I(f)は、第一入力デジタルパターンを第一出力アナログパターンに変換する第一生成側伝達特性である。
【００４８】
例えば、第一出力アナログパターンとしてHSI(f)を得たいとする。HSI(f)を、第一入力デジタルパターン生成部２２Ｉに与えれば、第一入力デジタルパターン生成部２２ＩはHSI(f)/HA-I(f)を第一入力デジタルパターンとして出力するようにする。すると、第一出力アナログパターンは、HSI(f)/HA-I(f)×HA-I(f) = HSI(f)となる。このように、第一入力デジタルパターン生成部２２Ｉには補正機能がある。なお、第一入力デジタルパターン生成部２２Ｉの補正機能を使用すること（HSI(f)/HA-I(f)を出力する）も、しないこと（HSI(f)を出力する）も任意である。
【００４９】
第一入力デジタルパターン生成部２２Ｉが生成した第一入力デジタルパターンが、第一Ｄ／Ａコンバータ２４Ｉ、第一出力アンプ２６Ｉおよび第一出力フィルタ２８Ｉにより、第一出力アナログパターンに変換される。第一出力アナログパターンは、第一出力端子２９Ｉから出力される。
【００５０】
第二入力デジタルパターン生成部２２Ｑは、デジタルパターン（「第二入力デジタルパターン」という）を生成する。
【００５１】
第二Ｄ／Ａコンバータ２４Ｑは、第二入力デジタルパターンをアナログ信号に変換する。
【００５２】
第二出力アンプ２６Ｑは、第二Ｄ／Ａコンバータ２４Ｑの出力を増幅する。
【００５３】
第二出力フィルタ２８Ｑは、第二出力アンプ２６Ｑの出力をフィルタ処理（例えば、高周波成分をカットして、低周波成分を通過させる）する。
【００５４】
なお、第二出力アンプ２６Ｑおよび第二出力フィルタ２８Ｑは、第二Ｄ／Ａコンバータ２４Ｑの出力をアナログ処理するための回路の一例であり、他の周知のアナログ処理回路に置き換えてもよい。
【００５５】
第二出力端子２９Ｑは、第二出力フィルタ２８Ｑの出力（「第二出力アナログパターン」という）を出力する。
【００５６】
ここで、第二Ｄ／Ａコンバータ２４Ｑ、第二出力アンプ２６Ｑおよび第二出力フィルタ２８Ｑの周波数特性をＳパラメータで表し、HA-Q(f)とする。HA-Q(f)は予め測定されており、第二入力デジタルパターン生成部２２Ｑに記録されている。HA-Q(f)は、第二入力デジタルパターンを第二出力アナログパターンに変換する第二生成側伝達特性である。
【００５７】
例えば、第二出力アナログパターンとしてHSQ(f)を得たいとする。HSQ(f)を、第二入力デジタルパターン生成部２２Ｑに与えれば、第二入力デジタルパターン生成部２２ＱはHSQ(f)/HA-Q(f)を第二入力デジタルパターンとして出力するようにする。すると、第二出力アナログパターンは、HSQ(f)/HA-Q(f)×HA-Q(f) = HSQ(f)となる。このように、第二入力デジタルパターン生成部２２Ｑには補正機能がある。なお、第二入力デジタルパターン生成部２２Ｑの補正機能を使用すること（HSQ(f)/HA-Q(f)を出力する）も、しないこと（HSQ(f)を出力する）も任意である。
【００５８】
第二入力デジタルパターン生成部２２Ｑが生成した第二入力デジタルパターンが、第二Ｄ／Ａコンバータ２４Ｑ、第二出力アンプ２６Ｑおよび第二出力フィルタ２８Ｑにより、第二出力アナログパターンに変換される。第二出力アナログパターンは、第二出力端子２９Ｑから出力される。
【００５９】
図２は、本発明の実施形態にかかるデジタイザ（デジタルパターン取得装置）４の構成を示すブロック図である。デジタイザ４は、第一入力端子４１Ｉ、第一出力デジタルパターン取得部４２Ｉ、第一Ａ／Ｄコンバータ４４Ｉ、第一入力アンプ４６Ｉ、第一入力フィルタ４８Ｉ、第二入力端子４１Ｑ、第二出力デジタルパターン取得部４２Ｑ、第二Ａ／Ｄコンバータ４４Ｑ、第二入力アンプ４６Ｑ、第二入力フィルタ４８Ｑを備える。
【００６０】
第一入力端子４１Ｉは、アナログ信号（「第一入力アナログパターン」という）の入力を受ける。
【００６１】
第一入力アンプ４６Ｉは、第一入力アナログパターンを増幅する。
【００６２】
第一入力フィルタ４８Ｉは、第一入力アンプ４６Ｉをフィルタ処理（例えば、高周波成分をカットして、低周波成分を通過させる）する。
【００６３】
なお、第一入力アンプ４６Ｉおよび第一入力フィルタ４８Ｉは、第一入力アナログパターンをアナログ処理するための回路の一例であり、他の周知のアナログ処理回路に置き換えてもよい。
【００６４】
第一Ａ／Ｄコンバータ４４Ｉは、第一入力フィルタ４８Ｉの出力をデジタル信号（「第一出力デジタルパターン」という）に変換する。
【００６５】
第一出力デジタルパターン取得部４２Ｉは、第一Ａ／Ｄコンバータ４４Ｉから第一出力デジタルパターンを取得する。
【００６６】
第一入力アンプ４６Ｉ、第一入力フィルタ４８Ｉおよび第一Ａ／Ｄコンバータ４４Ｉの周波数特性をＳパラメータで表し、HD-I(f)とする。HD-I(f)は予め測定されており、第一出力デジタルパターン取得部４２Ｉに記録されている。HD-I(f)は、第一入力アナログパターンを第一出力デジタルパターンに変換する第一取得側伝達特性である。
【００６７】
例えば、第一Ａ／Ｄコンバータ４４Ｉの出力がHDI(f)である場合は、第一出力デジタルパターン取得部４２Ｉが、HDI(f)/HD-I(f)を第一出力デジタルパターンとして取得する。これが、第一入力アナログパターンをデジタル化した真の値といえる（HDI(f)/HD-I(f)×HD-I(f) = HDI(f)）。このように、第一出力デジタルパターン取得部４２Ｉには補正機能がある。なお、第一出力デジタルパターン取得部４２Ｉの補正機能を使用すること（HDI(f)/HD-I(f)を取得する）も、しないこと（HDI(f)を取得する）も任意である。
【００６８】
第一入力端子４１Ｉが受けた第一入力アナログパターンは、第一入力アンプ４６Ｉ、第一入力フィルタ４８Ｉおよび第一Ａ／Ｄコンバータ４４Ｉにより第一出力デジタルパターンに変換される。
【００６９】
第二入力端子４１Ｑは、アナログ信号（「第二入力アナログパターン」という）の入力を受ける。
【００７０】
第二入力アンプ４６Ｑは、第二入力アナログパターンを増幅する。
【００７１】
第二入力フィルタ４８Ｑは、第二入力アンプ４６Ｑをフィルタ処理（例えば、高周波成分をカットして、低周波成分を通過させる）する。
【００７２】
なお、第二入力アンプ４６Ｑおよび第二入力フィルタ４８Ｑは、第二入力アナログパターンをアナログ処理するための回路の一例であり、他の周知のアナログ処理回路に置き換えてもよい。
【００７３】
第二Ａ／Ｄコンバータ４４Ｑは、第二入力フィルタ４８Ｑの出力をデジタル信号（「第二出力デジタルパターン」という）に変換する。
【００７４】
第二出力デジタルパターン取得部４２Ｑは、第二Ａ／Ｄコンバータ４４Ｑから第二出力デジタルパターンを取得する。
【００７５】
第二入力アンプ４６Ｑ、第二入力フィルタ４８Ｑおよび第二Ａ／Ｄコンバータ４４Ｑの周波数特性をＳパラメータで表し、HD-Q(f)とする。HD-Q(f)は予め測定されており、第二出力デジタルパターン取得部４２Ｑに記録されている。HD-Q(f)は、第二入力アナログパターンを第二出力デジタルパターンに変換する第二取得側伝達特性である。
【００７６】
例えば、第二Ａ／Ｄコンバータ４４Ｑの出力がHDQ(f)である場合は、第二出力デジタルパターン取得部４２Ｑが、HDQ(f)/HD-Q(f)を第二出力デジタルパターンとして取得する。これが、第二入力アナログパターンをデジタル化した真の値といえる（HDQ(f)/HD-Q(f)×HD-Q(f) = HDQ(f)）。このように、第二出力デジタルパターン取得部４２Ｑには補正機能がある。なお、第二出力デジタルパターン取得部４２Ｑの補正機能を使用すること（HDQ(f)/HD-Q(f)を取得する）も、しないこと（HDQ(f)を取得する）も任意である。
【００７７】
第二入力端子４１Ｑが受けた第二入力アナログパターンは、第二入力アンプ４６Ｑ、第二入力フィルタ４８Ｑおよび第二Ａ／Ｄコンバータ４４Ｑにより第二出力デジタルパターンに変換される。
【００７８】
特性取得装置１は、本発明の各々の実施形態において異なる。以下、特性取得装置１について説明する。
【００７９】
第一の実施形態
図３は、第一の実施形態にかかる特性取得装置１の構成を示すブロック図である。第一の実施形態にかかる特性取得装置１は、任意信号発生器（アナログパターン生成装置）２とデジタイザ（デジタルパターン取得装置）４とに接続されている。さらに、特性取得装置１は、任意信号発生器２の特性を取得する。
【００８０】
第一の実施形態にかかる特性取得装置１は、第一伝達特性導出部１２、第二伝達特性導出部１４、伝達特性比導出部１６、伝達特性導出部１８を備える。
【００８１】
第一伝達特性導出部１２は、第一出力端子２９Ｉと第一入力端子４１Ｉとが接続されている場合に動作する。第一伝達特性導出部１２は、任意信号発生器２の第一入力デジタルパターン生成部２２Ｉ（補正機能を使用しない）から第一入力デジタルパターンを受ける。また、第一伝達特性導出部１２は、デジタイザ４の第一出力デジタルパターン取得部４２Ｉ（補正機能を使用しない）から第一出力デジタルパターンを受ける。この第一出力デジタルパターンは、第一入力アナログパターン（図２参照）が第一出力アナログパターン（図１参照）であるときの信号といえる。第一伝達特性導出部１２は、第一入力デジタルパターンを第一出力デジタルパターンに変換する第一伝達特性を導出する。
【００８２】
第二伝達特性導出部１４は、第二出力端子２９Ｑと第一入力端子４１Ｉとが接続されている場合に動作する。第二伝達特性導出部１４は、任意信号発生器２の第二入力デジタルパターン生成部２２Ｑ（補正機能を使用しない）から第二入力デジタルパターンを受ける。また、第二伝達特性導出部１４は、デジタイザ４の第一出力デジタルパターン取得部４２Ｉ（補正機能を使用しない）から第一出力デジタルパターンを受ける。この第一出力デジタルパターンは、第一入力アナログパターン（図２参照）が第二出力アナログパターン（図１参照）であるときの信号といえる。第二伝達特性導出部１４は、第二入力デジタルパターンを第一出力デジタルパターンに変換する第二伝達特性を導出する。
【００８３】
伝達特性比導出部１６は、第一伝達特性導出部１２から第一伝達特性を受け、第二伝達特性導出部１４から第二伝達特性を受ける。さらに、伝達特性比導出部１６は、第一伝達特性と第二伝達特性との比である伝達特性比を導出する。伝達特性比は、任意信号発生器２の特性といえる。
【００８４】
伝達特性導出部１８は、第一生成側伝達特性HA-I(f)に、伝達特性比導出部１６により導出された伝達特性比を乗じて、第二生成側伝達特性HA-Q(f)を導出する。第二生成側伝達特性HA-Q(f)は、第二入力デジタルパターン生成部２２Ｑに与えられ、第二入力デジタルパターン生成部２２Ｑの補正機能の使用の際に利用される。
【００８５】
次に、第一の実施形態の動作を説明する。
【００８６】
まず、第一出力端子２９Ｉと第一入力端子４１Ｉとを接続する。
【００８７】
図４は、第一出力端子２９Ｉと第一入力端子４１Ｉとが接続されている場合の第一の実施形態にかかる特性取得装置１の動作を説明するための図である。
【００８８】
任意信号発生器２の第一入力デジタルパターン生成部２２Ｉが第一入力デジタルパターンHSI(f)を出力する。なお、第一入力デジタルパターン生成部２２Ｉの補正機能は使用しないので、HSI(f)/HA-I(f)が出力されるわけではない。
【００８９】
第一入力デジタルパターンHSI(f)は、第一Ｄ／Ａコンバータ２４Ｉ、第一出力アンプ２６Ｉおよび第一出力フィルタ２８Ｉにより、第一出力アナログパターンに変換される。第一出力アナログパターンは、HSI(f)×HA-I(f)と表される。
【００９０】
第一出力アナログパターンは、第一出力端子２９Ｉから出力され、デジタイザ４の第一入力端子４１Ｉに第一入力アナログパターンとして入力される。
【００９１】
第一入力アナログパターンは、第一入力アンプ４６Ｉ、第一入力フィルタ４８Ｉおよび第一Ａ／Ｄコンバータ４４Ｉにより第一出力デジタルパターンに変換される。第一出力デジタルパターンHDI(f)は、HSI(f)×HA-I(f)×HD-I(f)と表される。第一出力デジタルパターン取得部４２Ｉは、第一出力デジタルパターンHSI(f)×HA-I(f)×HD-I(f)を取得する。なお、第一出力デジタルパターン取得部４２Ｉの補正機能は使用しないので、第一Ａ／Ｄコンバータ４４Ｉの出力をHD-I(f)で割ることを、第一出力デジタルパターン取得部４２Ｉはしない。
【００９２】
第一伝達特性導出部１２は、第一入力デジタルパターン生成部２２Ｉから第一入力デジタルパターンHSI(f)を受け、第一出力デジタルパターン取得部４２Ｉから第一出力デジタルパターンHDI(f)(=HSI(f)×HA-I(f)×HD-I(f))を受ける。さらに、第一伝達特性導出部１２は、第一入力デジタルパターンHSI(f)を第一出力デジタルパターンHDI(f)に変換する第一伝達特性を導出する。具体的には、第一出力デジタルパターンHDI(f)を第一入力デジタルパターンHSI(f)で割る。よって、第一伝達特性HII(f) = HDI(f)/HSI(f) = HA-I(f)×HD-I(f)である。
【００９３】
次に、第二出力端子２９Ｑと第一入力端子４１Ｉとを接続する。
【００９４】
図５は、第二出力端子２９Ｑと第一入力端子４１Ｉとが接続されている場合の第一の実施形態にかかる特性取得装置１の動作を説明するための図である。
【００９５】
任意信号発生器２の第二入力デジタルパターン生成部２２Ｑが第二入力デジタルパターンHSQ(f)を出力する。なお、第二入力デジタルパターン生成部２２Ｑの補正機能は使用しないので、HSQ(f)/HA-Q(f)が出力されるわけではない。
【００９６】
第二入力デジタルパターンHSQ(f)は、第二Ｄ／Ａコンバータ２４Ｑ、第二出力アンプ２６Ｑおよび第二出力フィルタ２８Ｑにより、第二出力アナログパターンに変換される。第二出力アナログパターンは、HSQ(f)×HA-Q(f)と表される。
【００９７】
第二出力アナログパターンは、第二出力端子２９Ｑから出力され、デジタイザ４の第一入力端子４１Ｉに第一入力アナログパターンとして入力される。
【００９８】
第一入力アナログパターンは、第一入力アンプ４６Ｉ、第一入力フィルタ４８Ｉおよび第一Ａ／Ｄコンバータ４４Ｉにより第一出力デジタルパターンに変換される。第一出力デジタルパターンHDI(f)は、HSQ(f)×HA-Q(f)×HD-I(f)と表される。第一出力デジタルパターン取得部４２Ｉは、第一出力デジタルパターンHSQ(f)×HA-Q(f)×HD-I(f)を取得する。なお、第一出力デジタルパターン取得部４２Ｉの補正機能は使用しないので、第一Ａ／Ｄコンバータ４４Ｉの出力をHD-I(f)で割ることを、第一出力デジタルパターン取得部４２Ｉはしない。
【００９９】
第二伝達特性導出部１４は、第二入力デジタルパターン生成部２２Ｑから第二入力デジタルパターンHSQ(f)を受け、第一出力デジタルパターン取得部４２Ｉから第一出力デジタルパターンHDI(f)(=HSQ(f)×HA-Q(f)×HD-I(f))を受ける。さらに、第二伝達特性導出部１４は、第二入力デジタルパターンHSQ(f)を第一出力デジタルパターンHDI(f)に変換する第二伝達特性を導出する。具体的には、第一出力デジタルパターンHDI(f)を第二入力デジタルパターンHSQ(f)で割る。よって、第二伝達特性HQI(f) = HDI(f)/HSQ(f) = HA-Q(f)×HD-I(f)である。
【０１００】
伝達特性比導出部１６は、第一伝達特性導出部１２から第一伝達特性HII(f)を受け、第二伝達特性導出部１４から第二伝達特性HQI(f)を受ける。さらに、伝達特性比導出部１６は、第一伝達特性と第二伝達特性との比である伝達特性比＝HQI(f)/HII(f)を導出する。なお、第二伝達特性HQI(f) = HA-Q(f)×HD-I(f)であり、第一伝達特性HII(f) = HA-I(f)×HD-I(f)であることから、伝達特性比は、HA-Q(f)／HA-I(f)となる。
【０１０１】
伝達特性導出部１８は、伝達特性比導出部１６から伝達特性比を受ける。また、伝達特性導出部１８は、第一生成側伝達特性HA-I(f)を記録している。さらに、伝達特性導出部１８は、第一生成側伝達特性HA-I(f)に、伝達特性比導出部１６により導出された伝達特性比HA-Q(f)／HA-I(f)を乗じて、第二生成側伝達特性HA-Q(f)を導出する。第二生成側伝達特性HA-Q(f)は、第二入力デジタルパターン生成部２２Ｑに与えられる。
【０１０２】
その後、任意信号発生器２を、特性取得装置１およびデジタイザ４から取り外して、第一出力アナログパターンおよび第二出力アナログパターンの生成に使用する。この際、第一入力デジタルパターン生成部２２Ｉの補正機能と、第二入力デジタルパターン生成部２２Ｑの補正機能とを使用する。
【０１０３】
第一の実施形態によれば、任意信号発生器２における複数のＤ／Ａ変換経路間（すなわち、第一Ｄ／Ａコンバータ２４Ｉ、第一出力アンプ２６Ｉおよび第一出力フィルタ２８Ｉと、第二Ｄ／Ａコンバータ２４Ｑ、第二出力アンプ２６Ｑおよび第二出力フィルタ２８Ｑとの間）に発生する誤差（例えば、スキュー）を低減できる。
【０１０４】
このことは、第二生成側伝達特性HA-Q(f)として予め測定されている値を使用する第一比較例と、第一の実施形態とを比較するとわかりやすい。
【０１０５】
第一比較例のように、第一生成側伝達特性HA-I(f)および第二生成側伝達特性HA-Q(f)に予め測定されている値を使用する場合、第一生成側伝達特性HA-I(f)および第二生成側伝達特性HA-Q(f)に測定誤差が含まれることが避けられない。
【０１０６】
例えば、測定された第一生成側伝達特性HA-I(f)が真値よりも大きく、測定された第二生成側伝達特性HA-Q(f)が真値よりも小さいとする。この場合、補正機能を使用して、第一出力アナログパターンと第二出力アナログパターンとを同じ大きさにしようとすると、第一出力アナログパターンが小さく、第二出力アナログパターンが大きくなってしまう。
【０１０７】
ここで、第一の実施形態のように、伝達特性比に基づき、第二生成側伝達特性HA-Q(f)を導出した場合、測定された第一生成側伝達特性HA-I(f)には測定誤差があるものの（例えば、真値よりも大きい）、導出された第二生成側伝達特性HA-Q(f)もまた第一生成側伝達特性HA-I(f)と同程度の誤差を含む（例えば、真値よりも大きい）。よって、補正機能を使用して、第一出力アナログパターンと第二出力アナログパターンとを同じ大きさにしようとした場合、測定された第一生成側伝達特性HA-I(f)が真値よりも大きいと、第一出力アナログパターンと第二出力アナログパターンとは予定の値よりも小さくなる。しかし、第一出力アナログパターンと第二出力アナログパターンとを同じ大きさにできる。
【０１０８】
第二の実施形態
図６は、第二の実施形態にかかる特性取得装置１の構成を示すブロック図である。第二の実施形態にかかる特性取得装置１は、任意信号発生器（アナログパターン生成装置）２とデジタイザ（デジタルパターン取得装置）４とに接続されている。さらに、特性取得装置１は、デジタイザ４の特性を取得する。
【０１０９】
第二の実施形態にかかる特性取得装置１は、第一伝達特性導出部１１、第二伝達特性導出部１３、伝達特性比導出部１５、伝達特性導出部１７を備える。
【０１１０】
第一伝達特性導出部１１は、第一出力端子２９Ｉと第一入力端子４１Ｉとが接続されている場合に動作する。第一伝達特性導出部１１は、任意信号発生器２の第一入力デジタルパターン生成部２２Ｉ（補正機能を使用しない）から第一入力デジタルパターンを受ける。また、第一伝達特性導出部１１は、デジタイザ４の第一出力デジタルパターン取得部４２Ｉ（補正機能を使用しない）から第一出力デジタルパターンを受ける。この第一出力デジタルパターンは、第一入力アナログパターン（図２参照）が第一出力アナログパターン（図１参照）であるときの信号といえる。第一伝達特性導出部１１は、第一入力デジタルパターンを第一出力デジタルパターンに変換する第一伝達特性を導出する。
【０１１１】
第二伝達特性導出部１３は、第一出力端子２９Ｉと第二入力端子４１Ｑとが接続されている場合に動作する。第二伝達特性導出部１３は、任意信号発生器２の第一入力デジタルパターン生成部２２Ｉ（補正機能を使用しない）から第一入力デジタルパターンを受ける。また、第二伝達特性導出部１３は、デジタイザ４の第二出力デジタルパターン取得部４２Ｑ（補正機能を使用しない）から第二出力デジタルパターンを受ける。この第二出力デジタルパターンは、第二入力アナログパターン（図２参照）が第一出力アナログパターン（図１参照）であるときの信号といえる。第二伝達特性導出部１３は、第一入力デジタルパターンを第二出力デジタルパターンに変換する第二伝達特性を導出する。
【０１１２】
伝達特性比導出部１５は、第一伝達特性導出部１１から第一伝達特性を受け、第二伝達特性導出部１３から第二伝達特性を受ける。さらに、伝達特性比導出部１５は、第一伝達特性と第二伝達特性との比である伝達特性比を導出する。伝達特性比は、デジタイザ４の特性といえる。
【０１１３】
伝達特性導出部１７は、第一取得側伝達特性HD-I(f)に、伝達特性比導出部１５により導出された伝達特性比を乗じて、第二取得側伝達特性HD-Q(f)を導出する。第二取得側伝達特性HD-Q(f)は、第二出力デジタルパターン取得部４２Ｑに与えられ、第二出力デジタルパターン取得部４２Ｑの補正機能の使用の際に利用される。
【０１１４】
次に、第二の実施形態の動作を説明する。
【０１１５】
まず、第一出力端子２９Ｉと第一入力端子４１Ｉとを接続する。
【０１１６】
図７は、第一出力端子２９Ｉと第一入力端子４１Ｉとが接続されている場合の第二の実施形態にかかる特性取得装置１の動作を説明するための図である。
【０１１７】
任意信号発生器２の第一入力デジタルパターン生成部２２Ｉが第一入力デジタルパターンHSI(f)を出力する。なお、第一入力デジタルパターン生成部２２Ｉの補正機能は使用しないので、HSI(f)/HA-I(f)が出力されるわけではない。
【０１１８】
第一入力デジタルパターンHSI(f)は、第一Ｄ／Ａコンバータ２４Ｉ、第一出力アンプ２６Ｉおよび第一出力フィルタ２８Ｉにより、第一出力アナログパターンに変換される。第一出力アナログパターンは、HSI(f)×HA-I(f)と表される。
【０１１９】
第一出力アナログパターンは、第一出力端子２９Ｉから出力され、デジタイザ４の第一入力端子４１Ｉに第一入力アナログパターンとして入力される。
【０１２０】
第一入力アナログパターンは、第一入力アンプ４６Ｉ、第一入力フィルタ４８Ｉおよび第一Ａ／Ｄコンバータ４４Ｉにより第一出力デジタルパターンに変換される。第一出力デジタルパターンHDI(f)は、HSI(f)×HA-I(f)×HD-I(f)と表される。第一出力デジタルパターン取得部４２Ｉは、第一出力デジタルパターンHSI(f)×HA-I(f)×HD-I(f)を取得する。なお、第一出力デジタルパターン取得部４２Ｉの補正機能は使用しないので、第一Ａ／Ｄコンバータ４４Ｉの出力をHD-I(f)で割ることを、第一出力デジタルパターン取得部４２Ｉはしない。
【０１２１】
第一伝達特性導出部１１は、第一入力デジタルパターン生成部２２Ｉから第一入力デジタルパターンHSI(f)を受け、第一出力デジタルパターン取得部４２Ｉから第一出力デジタルパターンHDI(f)(=HSI(f)×HA-I(f)×HD-I(f))を受ける。さらに、第一伝達特性導出部１２は、第一入力デジタルパターンHSI(f)を第一出力デジタルパターンHDI(f)に変換する第一伝達特性を導出する。具体的には、第一出力デジタルパターンHDI(f)を第一入力デジタルパターンHSI(f)で割る。よって、第一伝達特性HII(f) = HDI(f)/HSI(f) = HA-I(f)×HD-I(f)である。
【０１２２】
次に、第一出力端子２９Ｉと第二入力端子４１Ｑとを接続する。
【０１２３】
図８は、第一出力端子２９Ｉと第二入力端子４１Ｑとが接続されている場合の第二の実施形態にかかる特性取得装置１の動作を説明するための図である。
【０１２４】
任意信号発生器２の第一入力デジタルパターン生成部２２Ｉが第一入力デジタルパターンHSI(f)を出力する。なお、第一入力デジタルパターン生成部２２Ｉの補正機能は使用しないので、HSI(f)/HA-I(f)が出力されるわけではない。
【０１２５】
第一入力デジタルパターンHSI(f)は、第一Ｄ／Ａコンバータ２４Ｉ、第一出力アンプ２６Ｉおよび第一出力フィルタ２８Ｉにより、第一出力アナログパターンに変換される。第一出力アナログパターンは、HSI(f)×HA-I(f)と表される。
【０１２６】
第一出力アナログパターンは、第一出力端子２９Ｉから出力され、デジタイザ４の第二入力端子４１Ｑに第二入力アナログパターンとして入力される。
【０１２７】
第二入力アナログパターンは、第二入力アンプ４６Ｑ、第二入力フィルタ４８Ｑおよび第二Ａ／Ｄコンバータ４４Ｑにより第二出力デジタルパターンに変換される。第二出力デジタルパターンHDQ(f)は、HSI(f)×HA-I(f)×HD-Q(f)と表される。第二出力デジタルパターン取得部４２Ｑは、第二出力デジタルパターンHSI(f)×HA-I(f)×HD-Q(f)を取得する。なお、第二出力デジタルパターン取得部４２Ｑの補正機能は使用しないので、第二Ａ／Ｄコンバータ４４Ｑの出力をHD-Q(f)で割ることを、第二出力デジタルパターン取得部４２Ｑはしない。
【０１２８】
第二伝達特性導出部１３は、第一入力デジタルパターン生成部２２Ｉから第一入力デジタルパターンHSI(f)を受け、第二出力デジタルパターン取得部４２Ｑから第二出力デジタルパターンHDQ(f)(=HSI(f)×HA-I(f)×HD-Q(f))を受ける。さらに、第二伝達特性導出部１３は、第一入力デジタルパターンHSI(f)を第二出力デジタルパターンHDQ(f)に変換する第二伝達特性を導出する。具体的には、第二出力デジタルパターンHDQ(f)を第一入力デジタルパターンHSI(f)で割る。よって、第二伝達特性HIQ(f) = HDQ(f)/HSI(f) = HA-I(f)×HD-Q(f)である。
【０１２９】
伝達特性比導出部１５は、第一伝達特性導出部１１から第一伝達特性HII(f)を受け、第二伝達特性導出部１３から第二伝達特性HIQ(f)を受ける。さらに、伝達特性比導出部１５は、第一伝達特性と第二伝達特性との比である伝達特性比＝HIQ(f)/HII(f)を導出する。なお、第二伝達特性HIQ(f) = HA-I(f)×HD-Q(f)であり、第一伝達特性HII(f) = HA-I(f)×HD-I(f)であることから、伝達特性比は、HD-Q(f)／HD-I(f)となる。
【０１３０】
伝達特性導出部１７は、伝達特性比導出部１５から伝達特性比を受ける。また、伝達特性導出部１７は、第一取得側伝達特性HD-I(f)を記録している。さらに、伝達特性導出部１７は、第一取得側伝達特性HD-I(f)に、伝達特性比導出部１５により導出された伝達特性比HD-Q(f)／HD-I(f)を乗じて、第二取得側伝達特性HD-Q(f)を導出する。第二取得側伝達特性HD-Q(f)は、第二出力デジタルパターン取得部４２Ｑに与えられる。
【０１３１】
その後、デジタイザ４を、特性取得装置１および任意信号発生器２から取り外して、第一入力アナログパターンおよび第二入力アナログパターンから第一出力デジタルパターンおよび第二出力デジタルパターンを取得するために使用する。この際、第一出力デジタルパターン取得部４２Ｉの補正機能と、第二出力デジタルパターン取得部４２Ｑの補正機能とを使用する。
【０１３２】
第二の実施形態によれば、デジタイザ４における複数のＡ／Ｄ変換経路間（すなわち、第一入力アンプ４６Ｉ、第一入力フィルタ４８Ｉおよび第一Ａ／Ｄコンバータ４４Ｉと、第二入力アンプ４６Ｑ、第二入力フィルタ４８Ｑおよび第二Ａ／Ｄコンバータ４４Ｑとの間）に発生する誤差（例えば、スキュー）を低減できる。
【０１３３】
このことは、第二取得側伝達特性HD-Q(f)として予め測定されている値を使用する第二比較例と、第二の実施形態とを比較するとわかりやすい。
【０１３４】
第二比較例のように、第一取得側伝達特性HD-I(f)および第二取得側伝達特性HD-Q(f)に予め測定されている値を使用する場合、第一取得側伝達特性HD-I(f)および第二取得側伝達特性HD-Q(f)に測定誤差が含まれることが避けられない。
【０１３５】
例えば、測定された第一取得側伝達特性HD-I(f)が真値よりも大きく、測定された第二取得側伝達特性HD-Q(f)が真値よりも小さいとする。ここで、補正機能を使用して、同じ大きさの第一入力アナログパターンと第二入力アナログパターンとから、同じ大きさの第一出力デジタルパターンと第二出力デジタルパターンとを得ようとしたとする。すると、第一出力デジタルパターンが小さく、第二出力デジタルパターンが大きくなってしまう。
【０１３６】
ここで、第二の実施形態のように、伝達特性比に基づき、第二取得側伝達特性HD-Q(f)を導出した場合、測定された第一取得側伝達特性HD-I(f)には測定誤差があるものの（例えば、真値よりも大きい）、導出された第二取得側伝達特性HD-Q(f)もまた第一取得側伝達特性HD-I(f)と同程度の誤差を含む（例えば、真値よりも大きい）。よって、補正機能を使用して、同じ大きさの第一出力デジタルパターンと第二出力デジタルパターンとを得ようとした場合（ただし、第一入力アナログパターンと第二入力アナログパターンとが同じ大きさであるとする）、測定された第一取得側伝達特性HD-I(f)が真値よりも大きいと、第一出力デジタルパターンと第二出力デジタルパターンとは予定の値よりも小さくなる。しかし、第一出力デジタルパターンと第二出力デジタルパターンとを同じ大きさにできる。
【０１３７】
第三の実施形態
図９は、第三の実施形態にかかる特性取得装置１の構成を示すブロック図である。第三の実施形態にかかる特性取得装置１は、任意信号発生器（アナログパターン生成装置）２とデジタイザ（デジタルパターン取得装置）４とに接続されている。さらに、特性取得装置１は、任意信号発生器２からデジタイザ４への伝送経路における遅延特性を取得する。
【０１３８】
第三の実施形態にかかる特性取得装置１は、第一ストレート伝達特性導出部１０２、第一クロス伝達特性導出部１０４、第二ストレート伝達特性導出部１０６、第二クロス伝達特性導出部１０８、遅延特性導出部１１０、生成側伝達特性比導出部１１２、生成側伝達特性導出部１１４、取得側伝達特性比導出部１１６、取得側伝達特性導出部１１８を備える。
【０１３９】
第一ストレート伝達特性導出部１０２は、第一出力端子２９Ｉと第一入力端子４１Ｉとが接続されている場合に動作する。第一ストレート伝達特性導出部１０２は、任意信号発生器２の第一入力デジタルパターン生成部２２Ｉ（補正機能を使用しない）から第一入力デジタルパターンを受ける。また、第一ストレート伝達特性導出部１０２は、デジタイザ４の第一出力デジタルパターン取得部４２Ｉ（補正機能を使用しない）から第一出力デジタルパターンを受ける。この第一出力デジタルパターンは、第一入力アナログパターン（図２参照）が第一出力アナログパターン（図１参照）であるときの信号といえる。第一ストレート伝達特性導出部１０２は、第一入力デジタルパターンを第一出力デジタルパターンに変換する第一ストレート伝達特性を導出する。
【０１４０】
第一クロス伝達特性導出部１０４は、第一出力端子２９Ｉと第二入力端子４１Ｑとが接続されている場合に動作する。第一クロス伝達特性導出部１０４は、任意信号発生器２の第一入力デジタルパターン生成部２２Ｉ（補正機能を使用しない）から第一入力デジタルパターンを受ける。また、第一クロス伝達特性導出部１０４は、デジタイザ４の第二出力デジタルパターン取得部４２Ｑ（補正機能を使用しない）から第二出力デジタルパターンを受ける。この第二出力デジタルパターンは、第二入力アナログパターン（図２参照）が第一出力アナログパターン（図１参照）であるときの信号といえる。第一クロス伝達特性導出部１０４は、第一入力デジタルパターンを第二出力デジタルパターンに変換する第一クロス伝達特性を導出する。
【０１４１】
第二ストレート伝達特性導出部１０６は、第二出力端子２９Ｑと第二入力端子４１Ｑとが接続されている場合に動作する。第二ストレート伝達特性導出部１０６は、任意信号発生器２の第二入力デジタルパターン生成部２２Ｑ（補正機能を使用しない）から第二入力デジタルパターンを受ける。また、第二ストレート伝達特性導出部１０６は、デジタイザ４の第二出力デジタルパターン取得部４２Ｑ（補正機能を使用しない）から第二出力デジタルパターンを受ける。この第二出力デジタルパターンは、第二入力アナログパターン（図２参照）が第二出力アナログパターン（図１参照）であるときの信号といえる。第二ストレート伝達特性導出部１０６は、第二入力デジタルパターンを第二出力デジタルパターンに変換する第二ストレート伝達特性を導出する。
【０１４２】
第二クロス伝達特性導出部１０８は、第二出力端子２９Ｑと第一入力端子４１Ｉとが接続されている場合に動作する。第二クロス伝達特性導出部１０８は、任意信号発生器２の第二入力デジタルパターン生成部２２Ｑ（補正機能を使用しない）から第二入力デジタルパターンを受ける。また、第二クロス伝達特性導出部１０８は、デジタイザ４の第一出力デジタルパターン取得部４２Ｉ（補正機能を使用しない）から第一出力デジタルパターンを受ける。この第一出力デジタルパターンは、第一入力アナログパターン（図２参照）が第二出力アナログパターン（図１参照）であるときの信号といえる。第二クロス伝達特性導出部１０８は、第二入力デジタルパターンを第一出力デジタルパターンに変換する第二伝達特性を導出する。
【０１４３】
遅延特性導出部１１０は、第一ストレート伝達特性、第一クロス伝達特性、第二ストレート伝達特性および第二クロス伝達特性に基づき、遅延特性を導出する。なお、遅延特性導出部１１０は、第一ストレート伝達特性を第一ストレート伝達特性導出部１０２から、第一クロス伝達特性を第一クロス伝達特性導出部１０４から、第二ストレート伝達特性を第二ストレート伝達特性導出部１０６から、第二クロス伝達特性を第二クロス伝達特性導出部１０８から取得する。
【０１４４】
ここで、遅延特性について説明する。
【０１４５】
第一出力端子２９Ｉと第一入力端子４１Ｉとが接続されている状態における第一Ａ／Ｄコンバータ４４Ｉによる遅延時間をt1(f)とする。すると、第二出力端子２９Ｑと第二入力端子４１Ｑとが接続されている状態における第二Ａ／Ｄコンバータ４４Ｑによる遅延時間もまたt1(f)である。
【０１４６】
ここで、第二出力端子２９Ｑと第一入力端子４１Ｉとが接続されている状態における第一Ａ／Ｄコンバータ４４Ｉによる遅延時間t2(f)は本来t1(f)と等しいはずである。また、第一出力端子２９Ｉと第二入力端子４１Ｑとが接続されている状態における第二Ａ／Ｄコンバータ４４Ｑによる遅延時間もまたt2(f)であり、本来t1(f)と等しいはずである。
【０１４７】
しかし、第一Ｄ／Ａコンバータ２４Ｉおよび第二Ｄ／Ａコンバータ２４Ｑにおいて使用されるサンプリング周波数と、第一Ａ／Ｄコンバータ４４Ｉおよび第二Ａ／Ｄコンバータ４４Ｑにおいて使用されるサンプリング周波数との違いなどにより、t2(f)とt1(f)とが異なる。t2(f)とt1(f)とが異なることを表す量を遅延特性と呼ぶ。
【０１４８】
遅延特性導出部１１０は、TD(f)
= t2(f)-t1(f)をＳパラメータ（周波数特性）で表したHTD(f)を遅延特性として導出する。HTD(f)は、下記の式（１）のようにして導出することができる。
【０１４９】
【数１】
2007288463.tif 000003
ただし、PTD(f)は、下記の式（２）のようにして導出できる。
【０１５０】
【数２】
2007288463.tif 000004
ただし、HII(f)は第一ストレート伝達特性、HIQ(f)は第一クロス伝達特性、HQQ(f)は第二ストレート伝達特性、HQI(f)は第二クロス伝達特性である。
【０１５１】
遅延特性導出部１１０は、第一ストレート伝達特性HII(f)、第一クロス伝達特性HIQ(f)、第二ストレート伝達特性HQQ(f)、第二クロス伝達特性HQI(f)を式（２）に代入してPTD(f)を導出する。さらに、遅延特性導出部１１０は、導出したPTD(f)を式（１）に代入して遅延特性HTD(f)を導出する。
【０１５２】
なお、式（１）のように遅延特性が表されることの証明は後述する。
【０１５３】
生成側伝達特性比導出部１１２は、第二クロス伝達特性HQI(f)を第二クロス伝達特性導出部１０８から、第一ストレート伝達特性HII(f)を第一ストレート伝達特性導出部１０２から受ける。また、生成側伝達特性比導出部１１２は、遅延特性HTD(f)を遅延特性導出部１１０から受ける。さらに、生成側伝達特性比導出部１１２は、第二クロス伝達特性HQI(f)を、第一ストレート伝達特性HII(f)と遅延特性HTD(f)との積で割った生成側伝達特性比を導出する。
【０１５４】
生成側伝達特性導出部１１４は、第一生成側伝達特性HA-I(f)に、生成側伝達特性比導出部１１２により導出された生成側伝達特性比を乗じて、第二生成側伝達特性HA-Q(f)を導出する。第二生成側伝達特性HA-Q(f)は、第二入力デジタルパターン生成部２２Ｑに与えられ、第二入力デジタルパターン生成部２２Ｑの補正機能の使用の際に利用される。
【０１５５】
取得側伝達特性比導出部１１６は、第一クロス伝達特性HIQ(f)を第一クロス伝達特性導出部１０４から、第一ストレート伝達特性HII(f)を第一ストレート伝達特性導出部１０２から受ける。また、取得側伝達特性比導出部１１６は、遅延特性HTD(f)を遅延特性導出部１１０から受ける。さらに、取得側伝達特性比導出部１１６は、第一クロス伝達特性HIQ(f)を、第一ストレート伝達特性HII(f)と遅延特性HTD(f)との積で割った取得側伝達特性比を導出する。
【０１５６】
取得側伝達特性導出部１１８は、第一取得側伝達特性HD-I(f)に、取得側伝達特性比導出部１１６により導出された取得側伝達特性比を乗じて、第二取得側伝達特性HD-Q(f)を導出する。第二取得側伝達特性HD-Q(f)は、第二出力デジタルパターン取得部４２Ｑに与えられ、第二出力デジタルパターン取得部４２Ｑの補正機能の使用の際に利用される。
【０１５７】
次に、第三の実施形態の動作を説明する。
【０１５８】
まず、第一出力端子２９Ｉと第一入力端子４１Ｉとを接続し、さらに第二出力端子２９Ｑと第二入力端子４１Ｑとを接続する。
【０１５９】
図１０は、第一出力端子２９Ｉ（第二出力端子２９Ｑ）と第一入力端子４１Ｉ（第二入力端子４１Ｑ）とが接続されている場合の第三の実施形態にかかる特性取得装置１の動作を説明するための図である。
【０１６０】
任意信号発生器２の第一入力デジタルパターン生成部２２Ｉが第一入力デジタルパターンHSI(f)を出力する。なお、第一入力デジタルパターン生成部２２Ｉの補正機能は使用しないので、HSI(f)/HA-I(f)が出力されるわけではない。
【０１６１】
第一入力デジタルパターンHSI(f)は、第一Ｄ／Ａコンバータ２４Ｉ、第一出力アンプ２６Ｉおよび第一出力フィルタ２８Ｉにより、第一出力アナログパターンに変換される。第一出力アナログパターンは、HSI(f)×HA-I(f)と表される。
【０１６２】
第一出力アナログパターンは、第一出力端子２９Ｉから出力され、デジタイザ４の第一入力端子４１Ｉに第一入力アナログパターンとして入力される。
【０１６３】
第一入力アナログパターンは、第一入力アンプ４６Ｉ、第一入力フィルタ４８Ｉおよび第一Ａ／Ｄコンバータ４４Ｉにより第一出力デジタルパターンに変換される。第一出力デジタルパターンHDI(f)は、HSI(f)×HA-I(f)×HD-I(f)と表される。第一出力デジタルパターン取得部４２Ｉは、第一出力デジタルパターンHSI(f)×HA-I(f)×HD-I(f)を取得する。なお、第一出力デジタルパターン取得部４２Ｉの補正機能は使用しないので、第一Ａ／Ｄコンバータ４４Ｉの出力をHD-I(f)で割ることを、第一出力デジタルパターン取得部４２Ｉはしない。
【０１６４】
第一ストレート伝達特性導出部１０２は、第一入力デジタルパターン生成部２２Ｉから第一入力デジタルパターンHSI(f)を受け、第一出力デジタルパターン取得部４２Ｉから第一出力デジタルパターンHDI(f)(=HSI(f)×HA-I(f)×HD-I(f))を受ける。さらに、第一ストレート伝達特性導出部１０２は、第一入力デジタルパターンHSI(f)を第一出力デジタルパターンHDI(f)に変換する第一ストレート伝達特性を導出する。具体的には、第一出力デジタルパターンHDI(f)を第一入力デジタルパターンHSI(f)で割る。よって、第一ストレート伝達特性HII(f) = HDI(f)/HSI(f) = HA-I(f)×HD-I(f)である。
【０１６５】
任意信号発生器２の第二入力デジタルパターン生成部２２Ｑが第二入力デジタルパターンHSQ(f)を出力する。なお、第二入力デジタルパターン生成部２２Ｑの補正機能は使用しないので、HSQ(f)/HA-Q(f)が出力されるわけではない。
【０１６６】
第二入力デジタルパターンHSQ(f)は、第二Ｄ／Ａコンバータ２４Ｑ、第二出力アンプ２６Ｑおよび第二出力フィルタ２８Ｑにより、第二出力アナログパターンに変換される。第二出力アナログパターンは、HSQ(f)×HA-Q(f)と表される。
【０１６７】
第二出力アナログパターンは、第二出力端子２９Ｑから出力され、デジタイザ４の第二入力端子４１Ｑに第二入力アナログパターンとして入力される。
【０１６８】
第二入力アナログパターンは、第二入力アンプ４６Ｑ、第二入力フィルタ４８Ｑおよび第二Ａ／Ｄコンバータ４４Ｑにより第二出力デジタルパターンに変換される。第二出力デジタルパターンHDQ(f)は、HSQ(f)×HA-Q(f)×HD-Q(f)と表される。第二出力デジタルパターン取得部４２Ｑは、第二出力デジタルパターンHSQ(f)×HA-Q(f)×HD-Q(f)を取得する。なお、第二出力デジタルパターン取得部４２Ｑの補正機能は使用しないので、第二Ａ／Ｄコンバータ４４Ｑの出力をHD-Q(f)で割ることを、第二出力デジタルパターン取得部４２Ｑはしない。
【０１６９】
第二ストレート伝達特性導出部１０６は、第二入力デジタルパターン生成部２２Ｑから第二入力デジタルパターンHSQ(f)を受け、第二出力デジタルパターン取得部４２Ｑから第二出力デジタルパターンHDQ(f)(=HSQ(f)×HA-Q(f)×HD-Q(f))を受ける。さらに、第二ストレート伝達特性導出部１０６は、第二入力デジタルパターンHSQ(f)を第二出力デジタルパターンHDQ(f)に変換する第二ストレート伝達特性を導出する。具体的には、第二出力デジタルパターンHDQ(f)を第二入力デジタルパターンHSQ(f)で割る。よって、第二ストレート伝達特性HQQ(f) = HDQ(f)/HSQ(f) = HA-Q(f)×HD-Q(f)である。
【０１７０】
次に、第一出力端子２９Ｉと第二入力端子４１Ｑとを接続し、さらに第二出力端子２９Ｑと第一入力端子４１Ｉとを接続する。
【０１７１】
図１１は、第一出力端子２９Ｉ（第二出力端子２９Ｑ）と第二入力端子４１Ｑ（第一入力端子４１Ｉ）とが接続されている場合の第三の実施形態にかかる特性取得装置１の動作を説明するための図である。
【０１７２】
任意信号発生器２の第一入力デジタルパターン生成部２２Ｉが第一入力デジタルパターンHSI(f)を出力する。なお、第一入力デジタルパターン生成部２２Ｉの補正機能は使用しないので、HSI(f)/HA-I(f)が出力されるわけではない。
【０１７３】
第一入力デジタルパターンHSI(f)は、第一Ｄ／Ａコンバータ２４Ｉ、第一出力アンプ２６Ｉおよび第一出力フィルタ２８Ｉにより、第一出力アナログパターンに変換される。第一出力アナログパターンは、HSI(f)×HA-I(f)と表される。
【０１７４】
第一出力アナログパターンは、第一出力端子２９Ｉから出力され、デジタイザ４の第二入力端子４１Ｑに第二入力アナログパターンとして入力される。
【０１７５】
第二入力アナログパターンは、第二入力アンプ４６Ｑ、第二入力フィルタ４８Ｑおよび第二Ａ／Ｄコンバータ４４Ｑにより第二出力デジタルパターンに変換される。第二出力デジタルパターンHDQ(f)は、HSI(f)×HA-I(f)×HD-Q(f)と表される。第二出力デジタルパターン取得部４２Ｑは、第二出力デジタルパターンHSI(f)×HA-I(f)×HD-Q(f)を取得する。なお、第二出力デジタルパターン取得部４２Ｑの補正機能は使用しないので、第二Ａ／Ｄコンバータ４４Ｑの出力をHD-Q(f)で割ることを、第二出力デジタルパターン取得部４２Ｑはしない。
【０１７６】
第一クロス伝達特性導出部１０４は、第一入力デジタルパターン生成部２２Ｉから第一入力デジタルパターンHSI(f)を受け、第二出力デジタルパターン取得部４２Ｑから第二出力デジタルパターンHDQ(f)(=HSI(f)×HA-I(f)×HD-Q(f))を受ける。さらに、第一クロス伝達特性導出部１０４は、第一入力デジタルパターンHSI(f)を第二出力デジタルパターンHDQ(f)に変換する第一クロス伝達特性を導出する。具体的には、第二出力デジタルパターンHDQ(f)を第一入力デジタルパターンHSI(f)で割る。よって、第一クロス伝達特性HIQ(f) = HDQ(f)/HSI(f) = HA-I(f)×HD-Q(f)である。
【０１７７】
任意信号発生器２の第二入力デジタルパターン生成部２２Ｑが第二入力デジタルパターンHSQ(f)を出力する。なお、第二入力デジタルパターン生成部２２Ｑの補正機能は使用しないので、HSQ(f)/HA-Q(f)が出力されるわけではない。
【０１７８】
第二入力デジタルパターンHSQ(f)は、第二Ｄ／Ａコンバータ２４Ｑ、第二出力アンプ２６Ｑおよび第二出力フィルタ２８Ｑにより、第二出力アナログパターンに変換される。第二出力アナログパターンは、HSQ(f)×HA-Q(f)と表される。
【０１７９】
第二出力アナログパターンは、第二出力端子２９Ｑから出力され、デジタイザ４の第一入力端子４１Ｉに第一入力アナログパターンとして入力される。
【０１８０】
第一入力アナログパターンは、第一入力アンプ４６Ｉ、第一入力フィルタ４８Ｉおよび第一Ａ／Ｄコンバータ４４Ｉにより第一出力デジタルパターンに変換される。第一出力デジタルパターンHDI(f)は、HSQ(f)×HA-Q(f)×HD-I(f)と表される。第一出力デジタルパターン取得部４２Ｉは、第一出力デジタルパターンHSQ(f)×HA-Q(f)×HD-I(f)を取得する。なお、第一出力デジタルパターン取得部４２Ｉの補正機能は使用しないので、第一Ａ／Ｄコンバータ４４Ｉの出力をHD-I(f)で割ることを、第一出力デジタルパターン取得部４２Ｉはしない。
【０１８１】
第二クロス伝達特性導出部１０８は、第二入力デジタルパターン生成部２２Ｑから第二入力デジタルパターンHSQ(f)を受け、第一出力デジタルパターン取得部４２Ｉから第一出力デジタルパターンHDI(f)(=HSQ(f)×HA-Q(f)×HD-I(f))を受ける。さらに、第二クロス伝達特性導出部１０８は、第二入力デジタルパターンHSQ(f)を第一出力デジタルパターンHDI(f)に変換する第二クロス伝達特性を導出する。具体的には、第一出力デジタルパターンHDI(f)を第二入力デジタルパターンHSQ(f)で割る。よって、第二伝達特性HQI(f) = HDI(f)/HSQ(f) = HA-Q(f)×HD-I(f)である。
【０１８２】
遅延特性導出部１１０は、第一ストレート伝達特性HII(f)を第一ストレート伝達特性導出部１０２から、第一クロス伝達特性HIQ(f)を第一クロス伝達特性導出部１０４から、第二ストレート伝達特性HQQ(f)を第二ストレート伝達特性導出部１０６から、第二クロス伝達特性HQI(f)を第二クロス伝達特性導出部１０８から取得する。
【０１８３】
さらに、遅延特性導出部１１０は、第一ストレート伝達特性HII(f)、第一クロス伝達特性HIQ(f)、第二ストレート伝達特性HQQ(f)、第二クロス伝達特性HQI(f)を式（２）に代入してPTD(f)を導出する。しかも、遅延特性導出部１１０は、導出したPTD(f)を式（１）に代入して遅延特性HTD(f)を導出する。
【０１８４】
生成側伝達特性比導出部１１２は、第一ストレート伝達特性導出部１０２から第一ストレート伝達特性HII(f)を受け、第二クロス伝達特性導出部１０８から第二クロス伝達特性HQI(f)を受ける。また、生成側伝達特性比導出部１１２は、遅延特性HTD(f)を遅延特性導出部１１０から受ける。さらに、生成側伝達特性比導出部１１２は、第二クロス伝達特性HQI(f)を、第一ストレート伝達特性HII(f)と遅延特性HTD(f)との積で割った生成側伝達特性比を導出する。
【０１８５】
なお、第二クロス伝達特性HQI(f)
= HA-Q(f)×HD-I(f)であり、第一ストレート伝達特性HII(f) = HA-I(f)×HD-I(f)であることから、TD(f) = 0であれば、HQI(f)/HII(f)
= HA-Q(f)/HA-I(f)となる。しかし、TD(f) = 0では無いため、生成側伝達特性比HA-Q(f)/HA-I(f) = HQI(f)/(HII(f)×HTD(f))となる。
【０１８６】
生成側伝達特性導出部１１４は、生成側伝達特性比導出部１１２から生成側伝達特性比を受ける。また、生成側伝達特性導出部１１４は、第一生成側伝達特性HA-I(f)を記録している。さらに、生成側伝達特性導出部１１４は、第一生成側伝達特性HA-I(f)に、生成側伝達特性比導出部１１２により導出された生成側伝達特性比HA-Q(f)／HA-I(f)を乗じて、第二生成側伝達特性HA-Q(f)を導出する。第二生成側伝達特性HA-Q(f)は、第二入力デジタルパターン生成部２２Ｑに与えられる。
【０１８７】
取得側伝達特性比導出部１１６は、第一ストレート伝達特性導出部１０２から第一ストレート伝達特性HII(f)を受け、第一クロス伝達特性導出部１０４から第一クロス伝達特性HIQ(f)を受ける。また、取得側伝達特性比導出部１１６は、遅延特性HTD(f)を遅延特性導出部１１０から受ける。さらに、取得側伝達特性比導出部１１６は、第一クロス伝達特性HIQ(f)を、第一ストレート伝達特性HII(f)と遅延特性HTD(f)との積で割った取得側伝達特性比を導出する。
【０１８８】
なお、第一クロス伝達特性HIQ(f)
= HA-I(f)×HD-Q(f)であり、第一ストレート伝達特性HII(f) = HA-I(f)×HD-I(f)であることから、TD(f) = 0であれば、HIQ(f)/HII(f)
= HD-Q(f)/HD-I(f)となる。しかし、TD(f) = 0では無いため、取得側伝達特性比HD-Q(f)/HD-I(f) = HIQ(f)/(HII(f)×HTD(f))となる。
【０１８９】
取得側伝達特性導出部１１８は、取得側伝達特性比導出部１１６から取得側伝達特性比を受ける。また、取得側伝達特性導出部１１８は、第一取得側伝達特性HD-I(f)を記録している。さらに、取得側伝達特性導出部１１８は、第一取得側伝達特性HD-I(f)に、取得側伝達特性比導出部１１６により導出された取得側伝達特性比HD-Q(f)/HD-I(f)を乗じて、第二取得側伝達特性HD-Q(f)を導出する。第二取得側伝達特性HD-Q(f)は、第二出力デジタルパターン取得部４２Ｑに与えられる。
【０１９０】
その後、任意信号発生器２を、特性取得装置１およびデジタイザ４から取り外して、第一出力アナログパターンおよび第二出力アナログパターンの生成に使用する。この際、第一入力デジタルパターン生成部２２Ｉの補正機能と、第二入力デジタルパターン生成部２２Ｑの補正機能とを使用する。
【０１９１】
また、デジタイザ４を、特性取得装置１および任意信号発生器２から取り外して、第一入力アナログパターンおよび第二入力アナログパターンから第一出力デジタルパターンおよび第二出力デジタルパターンを取得するために使用する。この際、第一出力デジタルパターン取得部４２Ｉの補正機能と、第二出力デジタルパターン取得部４２Ｑの補正機能とを使用する。
【０１９２】
第三の実施形態によれば、第一の実施形態および第二の実施形態と同様の効果を奏する。しかも、遅延特性HTD(f)を考慮したより正確な誤差低減が可能となる。
【０１９３】
また、上記の実施形態は、以下のようにして実現できる。ＣＰＵ、ハードディスク、メディア（フロッピー（登録商標）ディスク、ＣＤ−ＲＯＭなど）読み取り装置を備えたコンピュータに、上記の各部分（例えば、特性取得装置１）の機能を実現するプログラムを記録したメディアを読み取らせて、ハードディスクにインストールする。このような方法でも、上記の機能を実現できる。
【０１９４】
[式（１）のように遅延特性が表されることの証明]
まず、以下のように記号を定義する。
【０１９５】
tA-I：  第一Ｄ／Ａコンバータ２４Ｉ、第一出力アンプ２６Ｉおよび第一出力フィルタ２８Ｉの処理にかかる時間
tA-Q：  第二Ｄ／Ａコンバータ２４Ｑ、第二出力アンプ２６Ｑおよび第二出力フィルタ２８Ｑの処理にかかる時間
tD-I：  第一入力アンプ４６Ｉおよび第一入力フィルタ４８Ｉの処理にかかる時間
tD-Q：  第二入力アンプ４６Ｑおよび第二入力フィルタ４８Ｑの処理にかかる時間
なお、tA-I、tA-Q、tD-IおよびtD-Qは入力の周波数fの関数である。
【０１９６】
TII：  第一出力端子２９Ｉと第一入力端子４１Ｉとが接続されている状態の、第一入力デジタルパターンの生成から第一出力デジタルパターンの取得までの時間
TIQ：  第一出力端子２９Ｉと第二入力端子４１Ｑとが接続されている状態の、第一入力デジタルパターンの生成から第二出力デジタルパターンの取得までの時間
TQI：  第二出力端子２９Ｑと第一入力端子４１Ｉとが接続されている状態の、第二入力デジタルパターンの生成から第一出力デジタルパターンの取得までの時間
TQQ：  第二出力端子２９Ｑと第二入力端子４１Ｑとが接続されている状態の、第二入力デジタルパターンの生成から第二出力デジタルパターンの取得までの時間
また、t1(f)、t2(f)の定義は前述の通りである。t1(f)をt1、t2(f)をt2と記載する。
【０１９７】
すると、
TII = tA-I+tD-I+ t1
TIQ = tA-I+tD-Q+ t2
TQI = tA-Q+tD-I+ t2
TQQ = tA-Q+tD-Q+ t1
となる。
【０１９８】
よって、
TD(f) = t2-t1 = ((TIQ+TQI)-(TII+TQQ))/2      （３）
となる。
【０１９９】
ここで、TII、TIQ、TQIおよびTQQをＳパラメータで表したものが、第一ストレート伝達特性HII(f)、第一クロス伝達特性HIQ(f)、第二クロス伝達特性HQI(f)および第二ストレート伝達特性HQQ(f)となる。
【０２００】
式（３）において、TII、TIQ、TQIおよびTQQをそれぞれHII(f)、HIQ(f)、HQI(f)およびHQQ(f)に変換し、加算を乗算に、減算を除算に置き換えると、TD(f)を位相差PTD(f)に変換することができる。すると、PTD(f)を導出した式（２）が得られる。
【０２０１】
また、位相差PTD(f)をＳパラメータに変換することにより、HTD(f)を導出した式（１）が得られる。
【図面の簡単な説明】
【０２０２】
【図１】本発明の実施形態にかかる任意信号発生器（アナログパターン生成装置）２の構成を示すブロック図である。
【図２】本発明の実施形態にかかるデジタイザ（デジタルパターン取得装置）４の構成を示すブロック図である。
【図３】第一の実施形態にかかる特性取得装置１の構成を示すブロック図である。
【図４】第一出力端子２９Ｉと第一入力端子４１Ｉとが接続されている場合の第一の実施形態にかかる特性取得装置１の動作を説明するための図である。
【図５】第二出力端子２９Ｑと第一入力端子４１Ｉとが接続されている場合の第一の実施形態にかかる特性取得装置１の動作を説明するための図である。
【図６】第二の実施形態にかかる特性取得装置１の構成を示すブロック図である。
【図７】第一出力端子２９Ｉと第一入力端子４１Ｉとが接続されている場合の第二の実施形態にかかる特性取得装置１の動作を説明するための図である。
【図８】第一出力端子２９Ｉと第二入力端子４１Ｑとが接続されている場合の第二の実施形態にかかる特性取得装置１の動作を説明するための図である。
【図９】第三の実施形態にかかる特性取得装置１の構成を示すブロック図である。
【図１０】第一出力端子２９Ｉ（第二出力端子２９Ｑ）と第一入力端子４１Ｉ（第二入力端子４１Ｑ）とが接続されている場合の第三の実施形態にかかる特性取得装置１の動作を説明するための図である。
【図１１】第一出力端子２９Ｉ（第二出力端子２９Ｑ）と第二入力端子４１Ｑ（第一入力端子４１Ｉ）とが接続されている場合の第三の実施形態にかかる特性取得装置１の動作を説明するための図である。
【符号の説明】
【０２０３】
２  任意信号発生器（アナログパターン生成装置）
４  デジタイザ（デジタルパターン取得装置）
１  特性取得装置
１２  第一伝達特性導出部
１４  第二伝達特性導出部
１６  伝達特性比導出部
１８  伝達特性導出部
１１  第一伝達特性導出部
１３  第二伝達特性導出部
１５  伝達特性比導出部
１７  伝達特性導出部
１０２  第一ストレート伝達特性導出部
１０４  第一クロス伝達特性導出部
１０６  第二ストレート伝達特性導出部
１０８  第二クロス伝達特性導出部
１１０  遅延特性導出部
１１２  生成側伝達特性比導出部
１１４  生成側伝達特性導出部
１１６  取得側伝達特性比導出部
１１８  取得側伝達特性導出部
HII(f)  第一ストレート伝達特性（第一伝達特性）
HIQ(f)  第一クロス伝達特性（第二伝達特性）
HQQ(f)  第二ストレート伝達特性
HQI(f)  第二クロス伝達特性（第二伝達特性）
HA-I(f)  第一生成側伝達特性
HA-Q(f)  第二生成側伝達特性
HD-I(f)  第一取得側伝達特性
HD-Q(f)  第二取得側伝達特性
【図１】
2007288463.tif 000005
【図２】
2007288463.tif 000006
【図３】
2007288463.tif 000007
【図４】
2007288463.tif 000008
【図５】
2007288463.tif 000009
【図６】
2007288463.tif 000010
【図７】
2007288463.tif 000011
【図８】
2007288463.tif 000012
【図９】
2007288463.tif 000013
【図１０】
2007288463.tif 000014
【図１１】
2007288463.tif 000015